(57)【要約】【課題】重送が検出された場合、画像形成処理を継続して装置全体のジョブ効率の低下を防止するとともに、ユーザの負担を軽減することができる画像形成装置及び画像形成方法を提供する。【解決手段】制御部は、搬送された原稿上の画像を読み取り、読み取った画像に基づいて出力画像が形成された記録紙を、第１のトレイ５１ａに排出する。原稿搬送時に重送が検出された場合、重送原稿の頁数を記録するとともに、重送原稿の後に搬送された原稿上の画像を読み取り、読み取った画像に基づいて出力画像が形成された記録紙を、第２のトレイ５１ｂに排出し、重送が発生したことを報知する。ユーザが再度原稿をセットして原稿を搬送した場合、記録した頁数と一致する頁数の原稿上の画像を読み取り、読み取った画像に基づいて出力画像が形成された記録紙を、第１のトレイ５１ａに排出する。【選択図】図１
2007114589.tif 000002
【特許請求の範囲】
【請求項１】
搬送された複数の原稿上に記録された画像を読み取り、読み取られた画像に基づいてシート上に出力画像を形成する画像形成部と、出力画像が形成されたシートを排出するための複数のトレイとを備える画像形成装置において、
原稿の重送を検出する検出手段と、
前記トレイの切り換えを制御する制御手段と
を備え、
該制御手段は、
前記検出手段で重送が検出された場合、重送が検出される前に搬送された原稿から読み取られた画像に基づいて、前記画像形成部が出力画像を形成したシートを第１のトレイに排出し、重送が検出された重送原稿の後に搬送される原稿から読み取られた画像に基づいて、前記画像形成部が出力画像を形成したシートを第２のトレイに排出することを特徴とする画像形成装置。
【請求項２】
前記検出手段で重送が検出された場合、重送原稿上に記録された画像の読み取り可否を判定する判定手段を備え、
前記画像形成部は、
前記判定手段で読み取り可と判定した場合、重送原稿から読み取られた画像に基づいて出力画像を形成することを特徴とする請求項１に記載の画像形成装置。
【請求項３】
搬送される原稿の搬送順序を計数する計数手段を備え、
前記制御手段は、
前記判定手段で読み取り可と判定した場合、重送原稿のうち最初の搬送順序にある原稿から読み取られた画像に基づいて、前記画像形成部が出力画像を形成したシートを前記第１のトレイに排出することを特徴とする請求項２に記載の画像形成装置。
【請求項４】
搬送される原稿の搬送順序を計数する計数手段を備え、
前記制御手段は、
前記判定手段で読み取り可と判定した場合、重送原稿のうち最後の搬送順序にある原稿から読み取られた画像に基づいて、前記画像形成部が出力画像を形成したシートを前記第２のトレイに排出することを特徴とする請求項２に記載の画像形成装置。
【請求項５】
前記検出手段が検出した検出結果に基づいて、重送原稿数を判定する手段と、
該手段の判定結果及び前記計数手段の計数結果に基づいて、重送原稿の最後の搬送順序を特定する手段と
を備えることを特徴とする請求項４に記載の画像形成装置。
【請求項６】
前記検出手段で重送が検出された場合、前記計数手段の計数結果及び前記判定手段の判定結果に基づいて、重送原稿のうち画像の読み取りができなかった原稿の搬送順序を記憶する記憶手段を備え、
前記画像形成部は、
搬送された複数の原稿を再度搬送した場合に、前記記憶手段で記憶された搬送順序の原稿から読み取られた画像に基づいて出力画像を形成することを特徴とする請求項３又は請求項４に記載の画像形成装置。
【請求項７】
搬送される原稿の搬送順序を計数する計数手段と、
前記検出手段で重送が検出された場合、前記計数手段の計数結果に基づいて、重送原稿の搬送順序を記憶する記憶手段と
を備え、
前記画像形成部は、
搬送された複数の原稿を再度搬送した場合に、前記記憶手段で記憶された搬送順序の原稿から読み取られた画像に基づいて出力画像を形成することを特徴とする請求項１に記載の画像形成装置。
【請求項８】
前記検出手段が検出した検出結果に基づいて、重送原稿数を判定する手段と、
該手段の判定結果及び前記計数手段の計数結果に基づいて、重送原稿の搬送順序を特定する手段と
を備えることを特徴とする請求項６又は請求項７に記載の画像形成装置。
【請求項９】
前記制御手段は、
搬送された複数の原稿を再度搬送した場合に、原稿から読み取られた画像に基づいて、前記画像形成部が出力画像を形成したシートを前記第１のトレイに排出することを特徴とする請求項６乃至請求項８のいずれか１つ記載の画像形成装置。
【請求項１０】
搬送された複数の原稿上に記録された画像を読み取り、読み取られた画像に基づいてシート上に出力画像を形成し、出力画像が形成されたシートを排出する画像形成方法において、
原稿の重送を検出し、
重送が検出された場合、重送が検出される前に搬送された原稿から読み取られた画像に基づいて出力画像が形成されたシートと、重送が検出された重送原稿の後に搬送される原稿から読み取られた画像に基づいて出力画像が形成されたシートとを異なるトレイに排出することを特徴とする画像形成方法。
【発明の詳細な説明】
【技術分野】
【０００１】
本発明は、原稿搬送時に重送が発生しても、原稿の読み取り処理を停止させることなく画像形成を継続することができる画像形成装置及び画像形成方法に関する。
【背景技術】
【０００２】
近年、スキャナ機能、プリンタ機能、及びファクシミリ機能などを有するデジタル複合機のような画像形成装置は、自動原稿読取装置を備え、自動原稿読取装置の原稿トレイに積層された原稿を１枚ずつ画像読取部へ搬送して、原稿上に記録された画像を読み取り、読み取った画像に基づいて、記録紙への印刷などの処理を行うことにより、大量の原稿を高速に処理するようになってきている。
【０００３】
しかし、自動原稿読取装置で原稿を搬送する場合、湿度又は静電気などの影響により、１枚ずつ原稿が分離して搬送されず、２枚以上の原稿が重なって搬送される重送が生じる場合がある。従来、画像形成装置では、重送が発生した場合、原稿の搬送を停止させるとともに、露光処理、現像処理、転写処理、及び定着処理などの画像形成処理も停止させていたため、画像形成処理のジョブ効率の低下という問題、又は重送発生時のユーザが行う回復処理に多くの負担を要するという問題があった。そこで、重送が生じた場合、適切な対処を行うことができる画像読取装置及び画像形成装置などが提案されている。
【０００４】
例えば、原稿を読取走査して得られた各頁の原稿画像の画データを画像メモリに記憶しておき、原稿の読取時に重送を検出した場合、画像メモリに記憶された画データの内容を記録紙に印字出力することにより、これを見た利用者は、どの頁の原稿が読取走査されていないかを容易に判断することができるファクシミリ装置が提案されている（特許文献１参照）。
【０００５】
また、原稿の読取時に重送を検出した場合、重送した原稿の表面にマーキングを付し、読取が完了している原稿と読取が完了していない原稿とを容易に判別することができる画像読取装置が提案されている（特許文献２参照）。
【０００６】
また、原稿の読取時に重送を検出した場合、重送した原稿と重送していない原稿とを仕分け処理して排出することにより、重送が発生したときでも原稿の給紙を停止せず継続し、原稿読取完了後に重送による読取不良分の原稿のみを回収して再度読取操作をしてオペレータの作業負担を軽減することができる画像読取装置が提案されている（特許文献３参照）。
【０００７】
また、記録紙の搬送時に重送を検出した場合、重送に係る記録紙には画像を形成することなくそのまま排出し、この記録紙に形成する予定であった画像データを保持し、記録紙供給部から供給された記録紙に保持した画像データに基づいて画像を形成することにより、画像形成処理の連続性を確保し、重送に係る記録紙を再利用することができる画像形成装置が提案されている（特許文献４参照）。
【特許文献１】特開平６−３０３３７５号公報
【特許文献２】特開平８−９１６３０号公報
【特許文献３】特開２０００−１６５５９４号公報
【特許文献４】特開２００２−３３３７９７号公報
【発明の開示】
【発明が解決しようとする課題】
【０００８】
しかしながら、特許文献１のファクシミリ装置にあっては、原稿のどの頁で重送が発生したかを判断する場合、ユーザが記録紙に印刷された画像を見る必要があり、ユーザにとってみれば、重送が発生した原稿を判断することができるものの、大量の原稿を取り扱う必要がある場合には、多数印刷された画像の中から重送した画像を判断しなければならず、また、その判断に時間を要し、処理全体に要する時間も多くなるため、ユーザの負担を軽減することが望まれていた。
【０００９】
また、特許文献２の画像読取装置にあっては、原稿のどの頁で重送が発生したかを判断する場合、原稿に付されたマーキングを見る必要があり、ユーザにとってみれば、重送が発生した原稿を判断することができるものの、大量の原稿を取り扱う必要がある場合には、多数の原稿の中からマーキングを見つけ出さなければならず、また、その作業に時間を要し、処理全体に要する時間も多くなるため、ユーザの負担を軽減することが望まれていた。
【００１０】
また、特許文献３の画像読取装置にあっては、重送が発生したときでも原稿の読取を停止せず継続し、原稿読取完了後に重送による読取不良分の原稿のみを回収して再度読取操作をすることができるものの、原稿を読み取った後に記録紙に画像を形成する処理については記載がない。このため、大量の原稿を高速に処理する場合に、重送が発生したときでも、装置全体のジョブ効率を低下させることなく、ユーザの負担を軽減することができる画像形成装置が望まれていた。
【００１１】
また、特許文献４の画像読取装置にあっては、記録紙の搬送時に重送を検出した場合、画像形成処理の連続性を確保し、重送に係る記録紙を再利用することができるものの、原稿の読取時に重送が発生した場合については記載がない。このため、大量の原稿を高速に処理する場合に、原稿の読取時に重送が発生したときでも、装置全体のジョブ効率を低下させることなく、ユーザの負担を軽減することができる画像形成装置が望まれていた。
【００１２】
本発明は、斯かる事情に鑑みてなされたものであり、搬送された原稿の重送が検出された場合、重送が検出される前に搬送された原稿から画像を読み取って出力画像が形成されたシートを第１のトレイに排出し、重送が検出された重送原稿の後に搬送された原稿から画像を読み取って出力画像が形成されたシートを第２のトレイに排出することにより、重送が検出された場合であっても、画像形成処理を継続して装置全体のジョブ効率の低下を防止するとともに、ユーザが排出されたすべてのシートを確認し、原稿の読み取り順にシートを並べ替えるなど余分な作業を行う必要がなく、ユーザの負担を軽減することができる画像形成装置及び画像形成方法を提供することを目的とする。
【００１３】
また、本発明の他の目的は、重送原稿上に記録された画像の読み取り可否を判定する判定手段を備え、該判定手段で読み取り可と判定した場合、画像形成部は、重送原稿から読み取られた画像に基づいて出力画像を形成することにより、重送原稿に対する画像形成処理を継続し、原稿搬送に要する時間を無駄にすることなく、装置全体のジョブ効率の低下を防止することができる画像形成装置を提供することにある。
【００１４】
また、本発明の他の目的は、重層原稿上の画像を読み取ることができる場合、重送原稿のうち最初の搬送順序にある原稿上の画像を読み取って出力画像が形成されたシートを前記第１のトレイに排出することにより、重送原稿に対する画像形成処理を継続し、原稿搬送に要する時間を無駄にすることなく、装置全体のジョブ効率の低下を防止するとともに、ユーザの負担を軽減することができる画像形成装置を提供することにある。
【００１５】
また、本発明の他の目的は、重層原稿上の画像を読み取ることができる場合、重送原稿のうち最後の搬送順序にある原稿上の画像を読み取って出力画像が形成されたシートを前記第２のトレイに排出することにより、重送原稿に対する画像形成処理を継続し、原稿搬送に要する時間を無駄にすることなく、装置全体のジョブ効率の低下を防止するとともに、原稿の読み取り順にシートを並べ替えるなど余分な作業を行う必要がなく、ユーザの負担を軽減することができる画像形成装置を提供することにある。
【００１６】
また、本発明の他の目的は、重送原稿の枚数を判定することにより、重送原稿の枚数に拘わらず、重送原稿のうち最後の搬送順序を確実に特定することができる画像形成装置を提供することにある。
【００１７】
また、本発明の他の目的は、重送原稿のうち画像の読み取りができなかった原稿の搬送順序を記憶し、搬送された複数の原稿を再度搬送した場合に、記憶された搬送順序の原稿から読み取られた画像に基づいて出力画像を形成することにより、原稿の読み取り順にシートを並べ替えるなど余分な作業を行う必要がなく、ユーザの負担を軽減することができる画像形成装置を提供することにある。
【００１８】
また、本発明の他の目的は、重層原稿の搬送順序を記憶し、搬送された複数の原稿を再度搬送した場合に、記憶された搬送順序の原稿から読み取られた画像に基づいて出力画像を形成することにより、原稿の読み取り順にシートを並べ替えるなど余分な作業を行う必要がなく、ユーザの負担を軽減することができる画像形成装置を提供することにある。
【００１９】
また、本発明の他の目的は、重送原稿の枚数を判定することにより、重送原稿の枚数に拘わらず、重送原稿の搬送順序を確実に特定することができる画像形成装置を提供することにある。
【００２０】
また、本発明の他の目的は、搬送された複数の原稿を再度搬送した場合に、原稿上の画像を読み取って出力画像が形成されたシートを前記第１のトレイに排出することにより、原稿の読み取り順にシートを並べ替えるなど余分な作業を行う必要がなく、ユーザの負担を軽減することができる画像形成装置を提供することにある。
【課題を解決するための手段】
【００２１】
本発明に係る画像形成装置は、搬送された複数の原稿上に記録された画像を読み取り、読み取られた画像に基づいてシート上に出力画像を形成する画像形成部と、出力画像が形成されたシートを排出するための複数のトレイとを備える画像形成装置において、原稿の重送を検出する検出手段と、前記トレイの切り換えを制御する制御手段とを備え、該制御手段は、前記検出手段で重送が検出された場合、重送が検出される前に搬送された原稿から読み取られた画像に基づいて、前記画像形成部が出力画像を形成したシートを第１のトレイに排出し、重送が検出された重送原稿の後に搬送される原稿から読み取られた画像に基づいて、前記画像形成部が出力画像を形成したシートを第２のトレイに排出することを特徴とする。
【００２２】
本発明に係る画像形成装置は、前記検出手段で重送が検出された場合、重送原稿上に記録された画像の読み取り可否を判定する判定手段を備え、前記画像形成部は、前記判定手段で読み取り可と判定した場合、重送原稿から読み取られた画像に基づいて出力画像を形成することを特徴とする。
【００２３】
本発明に係る画像形成装置は、搬送される原稿の搬送順序を計数する計数手段を備え、  前記制御手段は、前記判定手段で読み取り可と判定した場合、重送原稿のうち最初の搬送順序にある原稿から読み取られた画像に基づいて、前記画像形成部が出力画像を形成したシートを前記第１のトレイに排出することを特徴とする。
【００２４】
本発明に係る画像形成装置は、搬送される原稿の搬送順序を計数する計数手段を備え、  前記制御手段は、前記判定手段で読み取り可と判定した場合、重送原稿のうち最後の搬送順序にある原稿から読み取られた画像に基づいて、前記画像形成部が出力画像を形成したシートを前記第２のトレイに排出することを特徴とする。
【００２５】
本発明に係る画像形成装置は、前記検出手段が検出した検出結果に基づいて、重送原稿数を判定する手段と、該手段の判定結果及び前記計数手段の計数結果に基づいて、重送原稿の最後の搬送順序を特定する手段とを備えることを特徴とする。
【００２６】
本発明に係る画像形成装置は、前記検出手段で重送が検出された場合、前記計数手段の計数結果及び前記判定手段の判定結果に基づいて、重送原稿のうち画像の読み取りができなかった原稿の搬送順序を記憶する記憶手段を備え、前記画像形成部は、搬送された複数の原稿を再度搬送した場合に、前記記憶手段で記憶された搬送順序の原稿から読み取られた画像に基づいて出力画像を形成することを特徴とする。
【００２７】
本発明に係る画像形成装置は、搬送される原稿の搬送順序を計数する計数手段と、前記検出手段で重送が検出された場合、前記計数手段の計数結果に基づいて、重送原稿の搬送順序を記憶する記憶手段とを備え、前記画像形成部は、搬送された複数の原稿を再度搬送した場合に、前記記憶手段で記憶された搬送順序の原稿から読み取られた画像に基づいて出力画像を形成することを特徴とする。
【００２８】
本発明に係る画像形成装置は、前記検出手段が検出した検出結果に基づいて、重送原稿数を判定する手段と、該手段の判定結果及び前記計数手段の計数結果に基づいて、重送原稿の搬送順序を特定する手段とを備えることを特徴とする。
【００２９】
本発明に係る画像形成装置は、前記制御手段は、搬送された複数の原稿を再度搬送した場合に、原稿から読み取られた画像に基づいて、前記画像形成部が出力画像を形成したシートを前記第１のトレイに排出することを特徴とする。
【００３０】
本発明に係る画像形成方法は、搬送された複数の原稿上に記録された画像を読み取り、読み取られた画像に基づいてシート上に出力画像を形成し、出力画像が形成されたシートを排出する画像形成方法において、原稿の重送を検出し、重送が検出された場合、重送が検出される前に搬送された原稿から読み取られた画像に基づいて出力画像が形成されたシートと、重送が検出された重送原稿の後に搬送される原稿から読み取られた画像に基づいて出力画像が形成されたシートとを異なるトレイに排出することを特徴とする。
【００３１】
本発明にあっては、検出手段は、搬送された原稿上の画像が読み取られる前に、原稿の重送（すなわち、２枚以上の原稿が重なった状態で搬送される）を検出する。検出手段は、例えば、超音波センサが利用され、搬送される原稿の両側に超音波を発信する発信部と発信された超音波を受信する受信部とを設け、受信した超音波の透過エネルギの大小に応じて、原稿の重送を検出する。画像形成部は、重送が検出される前に搬送された原稿から読み取られた画像に基づいてシートに出力画像を形成し、制御手段は、出力画像が形成されたシートを第１のトレイに排出する。
【００３２】
前記検出手段で重送が検出された場合、制御手段は、シートを排出するトレイを第１のトレイから該第１のトレイと異なる第２のトレイに切り替える。画像形成部は、重送した原稿（重送原稿）の後に搬送される原稿から読み取られた画像に基づいてシート上に出力画像を形成し、制御手段は、出力画像が形成されたシートを第２のトレイに排出する。これにより、重送が検出された場合であっても、原稿上の画像の読取処理を停止させず、読み取った画像に基づいて出力画像を形成する処理を継続する。また、重送の検出前後において、重送原稿以外の原稿上の画像に基づいて出力画像が形成されたシートを異なるトレイに排出する。
【００３３】
本発明にあっては、判定手段は、原稿の重送が検出された場合、重送原稿上に記録された画像の読み取り可否を判定する。読み取り可否の判定は、例えば、原稿の両面に画像が記録された両面原稿の場合には、重送により原稿上の画像が対向する面の画像の読み取りは不可であると判定する。また、原稿の片面（表面）のみに画像が記録された片面原稿の場合には、重送原稿の画像読み取り面に応じて、画像の読み取り可否を判定することができる。画像形成部は、前記判定手段で読み取り可と判定した場合、重送原稿から読み取られた画像に基づいて出力画像を形成する。
【００３４】
本発明にあっては、計数手段は、搬送される原稿の搬送順序（例えば、搬送される原稿が何枚目又は何頁目の原稿であるか）を計数する。制御手段は、原稿の重送が検出された場合において、重送原稿上の画像が読取可能であると判定されたときは、重送原稿のうち最初の搬送順序にある原稿から読み取られた画像に基づいて、前記画像形成部が出力画像を形成したシートを前記第１のトレイに排出する。例えば、原稿の一方の面（表面）に画像が記録された原稿を複数搬送し、２枚の原稿が重送した場合、前記判定手段は、重送原稿の１枚目の原稿表面は、重送により画像が遮られることはなく、原稿上の画像を読み取り可能と判定する。一方、前記判定手段は、重送原稿の２枚目の原稿表面の一部又は全部は、１枚目の重送原稿によりその画像が遮られるため、読み取り不可と判定する。
【００３５】
本発明にあっては、計数手段は、搬送される原稿の搬送順序（例えば、搬送される原稿が何枚目又は何頁目の原稿であるか）を計数する。制御手段は、原稿の重送が検出された場合において、重送原稿上の画像が読取可能であると判定されたときは、重送原稿のうち最後の搬送順序にある原稿から読み取られた画像に基づいて、前記画像形成部が出力画像を形成したシートを前記第２のトレイに排出する。例えば、原稿の一方の面（裏面）に画像が記録された原稿を複数搬送し、２枚の原稿が重送した場合、前記判定手段は、重送原稿の１枚目の原稿裏面の一部又は全部は、２枚目の重送原稿によりその画像が遮られるため、読み取り不可と判定する。一方、前記判定手段は、重送原稿の２枚目は、重送により画像が遮られることはなく、原稿上の画像を読み取り可能と判定する。
【００３６】
本発明にあっては、前記検出手段の検出結果に基づいて、重送原稿の枚数を判断する。重送原稿の枚数及び前記計数手段が計数した計数結果に基づいて、重送原稿の最後の搬送順序を特定する。例えば、重送が検出される前に１０枚の原稿が搬送された場合、重送原稿の枚数が２枚であるときは、重送原稿の最後の搬送順序は１２枚目と特定される。また、重送が検出される前に１０枚の原稿が搬送された場合、重送原稿の枚数が３枚であるときは、重送原稿の最後の搬送順序は１３枚目と特定される。
【００３７】
本発明にあっては、重送が検出された場合、重送原稿のうち画像の読み取りができなかった原稿の搬送順序（例えば、重送原稿の何枚目又は何頁目の原稿であるか）を記憶する。重送原稿上の画像を読み取るために、搬送された複数の原稿を再度搬送した場合に、前記画像形成部は、記憶された搬送順序と同じ搬送順序の原稿から読み取られた画像に基づいて出力画像を形成する。
【００３８】
本発明にあっては、重送が検出された場合、重送原稿の搬送順序（例えば、重送原稿が全原稿の何枚目又は何頁目の原稿であるか）を記憶する。重送原稿上の画像を読み取るために、搬送された複数の原稿を再度搬送した場合に、前記画像形成部は、記憶された搬送順序と同じ搬送順序の原稿から読み取られた画像に基づいて出力画像を形成する。
【００３９】
本発明にあっては、前記検出手段の検出結果に基づいて、重送原稿の枚数を判断する。重送原稿の枚数及び前記計数手段が計数した計数結果に基づいて、重送原稿の搬送順序を特定する。例えば、重送が検出される前に１０枚の原稿が搬送され、重送原稿の枚数が２枚である場合において、全重送原稿の画像が読み取り不可と判定されたときは、重送原稿の搬送順序は１１枚目及び１２枚目と特定される。また、重送が検出される前に１０枚の原稿が搬送され、重送原稿の枚数が２枚である場合において、最初の重送原稿の画像が読み取り不可と判定されたときは、重送原稿の搬送順序は１１枚目と特定される。また、重送が検出される前に１０枚の原稿が搬送され、重送原稿の枚数が２枚である場合において、最後の重送原稿の画像が読み取り不可と判定されたときは、重送原稿の搬送順序は１２枚目と特定される。
【００４０】
本発明にあっては、重送原稿上の画像を読み取るために、搬送された複数の原稿を再度搬送した場合に、原稿から読み取られた画像に基づいて、前記画像形成部が出力画像を形成したシートを前記第１のトレイに排出する。これにより、前記シートを、重送が検出される前に搬送された原稿から読み取られた画像に基づいて出力画像が形成されたシートに続いて排出する。
【発明の効果】
【００４１】
本発明にあっては、原稿の重送が検出された場合、制御手段は、重送原稿の後に搬送される原稿から読み取られた画像に基づいて出力画像が形成されたシートを第１のトレイと異なる第２のトレイに排出することにより、重送が検出された場合であっても、読み取り原稿の搬送を停止させず、読み取った画像に基づいて出力画像を形成する処理を継続することができ、重送により装置全体のジョブ効率が低下することを防止することができる。
【００４２】
また、重送の検出前後において、重送原稿以外の原稿上の画像に基づいて出力画像が形成されたシートを異なるトレイに排出することにより、ユーザは、第１のトレイの最終頁と、第２のトレイの最初の頁との間で重送が発生したことを容易に判断することができるとともに、重送原稿上の画像に基づいてシートに出力画像が形成された場合に、該シートを第１のトレイに排出されたシートの最終頁の後に置き、その後にユーザは第２のトレイに排出されたシートを第１のトレイ上に置くことにより、重送が発生した位置を意識することなく原稿の順番通りに出力画像が形成されたシートを容易に並べることができ、ユーザの負担を軽減することができる。
【００４３】
本発明にあっては、原稿の搬送が検出された場合、重送原稿上に記録された画像の読み取り可否を判定する判定手段を備えることにより、重送原稿のうち画像を読み取ることができたものについては出力画像を形成することができ、重送原稿に対する画像形成処理を継続し、原稿搬送に要する時間を無駄にすることなく、装置全体のジョブ効率の低下を防止することができる。
【００４４】
本発明にあっては、重送原稿のうち最初の搬送順序にある原稿上の画像を読み取って出力画像が形成されたシートを前記第１のトレイに排出することにより、重送原稿のうち１枚の原稿搬送処理を無駄にすることがない。また、重送原稿から画像を読み取って出力画像が形成されたシートを、原稿の順番通りに並べることができ、ユーザの負担を軽減することができる。
【００４５】
本発明にあっては、重送原稿のうち最後の搬送順序にある原稿上の画像を読み取って出力画像が形成されたシートを前記第２のトレイに排出することにより、重送原稿のうち１枚の原稿搬送処理を無駄にすることがない。また、重送原稿から画像を読み取って出力画像が形成されたシートを、原稿の順番通りに並べることができ、ユーザの負担を軽減することができる。
【００４６】
本発明にあっては、重送原稿の枚数に拘わらず、重送原稿の搬送順序を確実に特定することができる。
【００４７】
本発明にあっては、画像の読み取りができなかった重送原稿の搬送順序を記憶し、搬送された複数の原稿を再度搬送した場合に、記憶された搬送順序と同じ搬送順序の原稿から読み取られた画像に基づいて出力画像を形成することにより、重送していない原稿から重送原稿を仕分ける作業が全く不要になり、ユーザの負担を軽減することができる。特に大量の原稿を高速に処理する必要がある場合には、ユーザの負担を顕著に低減することが可能になる。
【００４８】
本発明にあっては、重送原稿の搬送順序を記憶し、搬送された複数の原稿を再度搬送した場合に、記憶された搬送順序と同じ搬送順序の原稿から読み取られた画像に基づいて出力画像を形成することにより、重送していない原稿から重送原稿を仕分ける作業が全く不要になり、ユーザの負担を軽減することができる。特に大量の原稿を高速に処理する必要がある場合には、ユーザの負担を顕著に低減することが可能になる。
【００４９】
本発明にあっては、重送原稿の枚数に拘わらず、重送原稿の搬送順序を確実に特定することができる。
【００５０】
本発明にあっては、重送原稿から読み取られた画像に基づいて、前記画像形成部が出力画像を形成したシートを前記第１のトレイに排出することにより、重送が発生した場合でも、出力画像を形成したシートを原稿の搬送順に並べることができ、ユーザが重送原稿に対応するシートを区別して、その順序を並べ替える必要が全くなく、ユーザの負担を軽減することができる
【発明を実施するための最良の形態】
【００５１】
実施の形態１
以下、本発明を実施の形態を示す図面に基づいて説明する。図１は本発明に係る画像形成装置１００の正面側模式図である。図において、１はガラス製であって原稿を載置する載置台である。載置台１の上側には、原稿載置トレイ２０、後述する画像読取部２４などを有する自動原稿搬送部２を装着してある。載置台１の下側には、後述する画像読取部３０を有するスキャナ部３を配置している。
【００５２】
スキャナ部３に下側には、出力画像が形成された記録紙（シート）を排出するための搬送経路７を間にして、画像形成部４を配置している。画像形成部４は、電子写真プロセス部４０、定着装置４１、光書込みユニット４２、プロセス制御部４３、記録紙を収容するための記録紙収容部４４などを備えている。
【００５３】
電子写真プロセス部４０は、回転駆動される感光体ドラム、該感光体ドラムの表面に形成された静電潜像を現像する現像装置、及び感光体ドラム表面のトナー像を記録紙に転写する転写装置などを備えている。
【００５４】
定着装置４１は、定着ローラを有し、記録紙に転写形成されたトナー像を高温加圧することにより、トナー像を記録紙に定着させる。
【００５５】
光書込みユニット４２は、画像データに応じて変調されたドット光を発する半導体レーザ素子、該半導体レーザ素子から発せられるレーザ光を主走査方向に偏向させるためのポリゴンミラー、該ポリゴンミラーにより偏向されたレーザ光を感光体ドラムの表面に結像させるためのレンズ及びミラー（いずれも不図示）などを備えている。
【００５６】
プロセス制御部４３は、各種の演算処理を行うＣＰＵからなる制御部１０、ＲＯＭ１３、ＲＡＭ１４、ＨＤＤなどにより構成される記憶部１２、及び画像メモリ１１などを備え、画像形成装置全体の制御を行う。
【００５７】
画像形成部４の下側には、記録紙を収容する記録紙収容部６１、…を３段に亘って上下方向に配置した多段給紙ユニット６を配置している。出力画像を形成する際、所望のサイズの記録紙が選択され、選択された記録紙は、電子写真プロセス部４０へ供給される。
【００５８】
スキャナ部３と多段給紙ユニット６との間であって、電子写真プロセス部４の側面には、記録紙の後処理（例えば、ソート処理、ステープル処理など）を行う後処理部５を配置している。後処理部５は、出力画像が形成された記録紙を排出するための排出用のトレイ５１ａ（第１のトレイ）、５１ｂ（第２のトレイ）、５１ｃ（第３のトレイ）、いずれのトレイに記録紙を排出するかを切り換えるためのガイド５２、５３、排出する記録紙を搬送する搬送ローラ５０などを備えている。
【００５９】
図２は自動原稿搬送部２及びスキャナ部３の構成を示す模式図である。自動原稿搬送部２は、原稿載置トレイ２０、原稿上に記録された画像を読み取る画像読取部２４、原稿載置トレイ２０に積層して載置された原稿を１枚ずつ搬送するためのピックアップローラ２１ａ及び捌きローラ２１ｂ、画像読取部２４を経由して原稿を排出トレイ２５まで搬送するための搬送路２２、搬送路２２の中途に適宜設けられた搬送ローラ２１ｃ、２１ｄ、２１ｅ、２１ｆ、２１ｇ、並びに画像読取部２４の上流側の搬送路４に搬送される原稿を挟んで対置され、超音波を発信する発信部２３ａ及び発信部２３ａで発信された超音波を受信する受信部２３ｂを有する超音波センサ２３などを備える。
【００６０】
画像読取部２４は、搬送経路２２を搬送された原稿にレーザ光を照射するための光源２４ａ、原稿で反射されたレーザ光を所定の光路に導くためのミラー２４ｂ、２４ｃ、２４ｄ、２４ｅ、各ミラーで導かれた反射光をＣＣＤセンサ２４ｇに結像させるための結像レンズ２４ｆ、結像されたレーザ光を光電変換して電気信号を出力するＣＣＤセンサ２４ｇなどを備えている。画像読取部２４は、原稿から読み取ったカラー画像に基づいて、Ｒ（赤）、Ｇ（緑）、Ｂ（青）の各色成分に色分解したデータをプロセス制御部４３へ出力する。プロセス制御部４３へ出力されたデータは、所定の画像データ処理が施される。
【００６１】
スキャナ部３は、画像読取部３０を備える。画像読取部３０は、載置台１の下面に沿って平行に往復移動する走査ユニット３１、３２、結像レンズ３３、及び光電変換素子であるＣＣＤラインセンサ３４などを有する。走査ユニット３１は、載置台１に載置された原稿又は搬送経路２２に沿って搬送される原稿にレーザ光を照射するための光源３１ａ、原稿で反射されたレーザ光を所定の光路に導くためのミラー３１ｂなどを備えている。また、走査ユニット３２は、原稿で反射されたレーザ光を所定の光路に導くためのミラー３２ａ、３２ｂなどを備えている。
【００６２】
結像レンズ３３は、走査ユニット３２から導かれたレーザ光をＣＣＤラインセンサ３４上の所定の位置に結像させる。ＣＣＤラインセンサ３４は、結像された光像を光電変換して電気信号を出力する。画像読取部３０は、原稿から読み取ったカラー画像に基づいて、Ｒ（赤）、Ｇ（緑）、Ｂ（青）の各色成分に色分解したデータをプロセス制御部４３へ出力する。プロセス制御部４３へ出力されたデータは、所定の画像データ処理が施される。
【００６３】
原稿に記録された画像を読み取る場合、原稿の両面から読み取るか、又は片面から読み取るかは、後述する操作部１６でのユーザによる操作で切り換えることができる。例えば、原稿の両面に画像が記録されている場合、操作部１６で両面読み取りを設定することにより、原稿載置トレイ２０に原稿の表面を上側にして積層して載置された原稿は、１枚ずつ搬送経路２２を搬送され、原稿の表面に記録された画像は画像読取部３０で読み取り、原稿の裏面に記録された画像は画像読取部２４で読み取ることができる。また、原稿の表面のみに画像が記録されている場合、操作部１６で片面読み取りを設定することにより、原稿載置トレイ２０に原稿の表面を上側にして積層して載置された原稿は、１枚ずつ搬送経路２２を搬送され、原稿の表面に記録された画像は、画像読取部３０で読み取ることができる。この場合には、画像読取部２４での画像読取は行わない。
【００６４】
図３は本発明に係る画像形成装置１００の内部構成を示すブロック図である。画像形成装置１００は、各種の演算処理を行うＣＰＵからなる制御部１０を備える。制御部１０には、内部バスを介して原稿搬送部２、画像読取部２４、画像読取部３０、画像メモリ１１、記憶部１２、ＲＯＭ１３、ＲＡＭ１４、超音波センサ２３、画像形成部４、ガイド駆動部１５、操作部１６、カウンタ１７などが接続されており、制御部１０は、これらのハードウエア各部の動作を制御する。
【００６５】
ＲＯＭ１３は、制御部１０の制御手順を示す制御プログラムを予め記憶している。制御部１０のＣＰＵがＲＯＭ１３に記憶されている制御プログラムをＲＡＭ１４にロードすることにより、制御部１０は制御プログラムで示された制御手順に従って画像形成装置１００の動作を制御する。
【００６６】
原稿搬送部２は、原稿載置トレイ２０に載置された原稿を１枚ずつ画像読取部２４、３０へ搬送するとともに、画像読取部２４、３０で画像を読み取られた原稿を排出トレイ２５へ搬送する。
【００６７】
画像読取部２４は、原稿上の画像をＣＣＤセンサで光電変換してアナログ信号に変換し、得られたアナログ信号をＡ／Ｄ変換器でデジタル信号に変換する。画像読取部２４は、変換して得られたデジタル信号に対して原稿読取時の光源の配向特性、イメージセンサの感度ムラなどの補正を行い、制御部１０の制御の下、得られた画像データを画像メモリ１１に記憶する。
【００６８】
画像読取部３０は、原稿上の画像をＣＣＤセンサで光電変換してアナログ信号に変換し、得られたアナログ信号をＡ／Ｄ変換器でデジタル信号に変換する。画像読取部３０は、変換して得られたデジタル信号に対して原稿読取時の光源の配向特性、イメージセンサの感度ムラなどの補正を行い、制御部１０の制御の下、得られた画像データを画像メモリ１１に記憶する。
【００６９】
画像形成部４は、画像メモリ１１に記憶された画像データに基づいて、記録紙上に用紙上に画像を形成する。なお、画像形成部４は、電子写真方式に限定されるものではなく、インクジェット方式、熱転写方式などいずれのものでもよい。
【００７０】
超音波センサ２３は、原稿搬送部２で搬送される原稿を画像読取部２４、３０の上流側、すなわち、原稿上の画像が画像読取部２４、３０で読み取られる前に、原稿の重送を検出し、検出結果を制御部１０へ出力する。原稿の重送は、本来原稿が１枚ずつ分離されて搬送されるべきところ、２枚の原稿が重なり合って搬送される状態をいう。なお、重送の詳細は、後述の図５で説明する。
【００７１】
図４は超音波センサ２３の構成を示すブロック図である。超音波センサ２３は、例えば、発振周波数が約２２０ｋＨｚの駆動波形を発生する発振回路２３ｃ、発振回路２３ｃが発生した駆動波形を増幅する増幅回路２３ｄ、駆動波形を発信する発信部２３ａ、発信部２３ａが発信した信号を受信する受信部２３ｂ、受信部２３ｂで受信した信号を広帯域（例えば、２２０ｋＨｚ±２０ｋＨｚ）にわたって検出する共振回路２３ｅ、受信した信号を増幅する増幅回路２３ｆ、及び増幅された信号をデジタル信号に変換するＡ／Ｄ変換回路２３ｇなどを備える。超音波センサ２３は、搬送される原稿に対して発信部２３ａから信号を発信し、発信された信号を受信部２３ｂで受信した検出信号を制御部１０へ出力することで、信号のエネルギの大小に基づいて、搬送される原稿の枚数、すなわち、重送を検出する。なお、重送を検出する手段としては、超音波センサに限定されるものではなく、他のセンサを用いることもできる。
【００７２】
ガイド駆動部１５は、制御部１０の制御のもと、ガイド５２、５３の切り換えを行う。例えば、搬送された原稿上の画像を読み取って、読み取った画像に基づいて出力画像が形成された記録紙は、第１のトレイ５１ａに排出されるようにガイド５２、５３を切り換える。原稿搬送時に重送が検出された場合、重送原稿の後に搬送された原稿上の画像を読み取って、読み取った画像に基づいて出力画像が形成された記録紙は、第２のトレイ５１ｂに排出されるようにガイド５２、５３を切り換える。また、原稿搬送時に再度重送が検出された場合、重送原稿の後に搬送された原稿上の画像を読み取って、読み取った画像に基づいて出力画像が形成された記録紙は、第３のトレイ５１ｃに排出されるようにガイド５２、５３を切り換える。
【００７３】
操作部１６は、タッチパネル方式の操作パネルであり、利用者の操作指示を受け付ける各種キー及びスイッチと、利用者に対して報知する情報を表示する液晶ディスプレイとを備えている。操作部１６は、例えば、片面原稿又は両面原稿のいずれの原稿を読み取るかを設定することができる。
【００７４】
カウンタ１７は、操作部１６での操作に基づいて、片面原稿又は両面原稿の搬送に応じて、搬送される原稿の枚数又は頁数を計数し、計数結果を制御部１０へ出力する。
【００７５】
記憶部１２には、原稿の重送が検出された場合、制御部１０の制御により、重送原稿の枚数若しくは頁数、又は重送原稿のうち画像の読み取りができないと判定された原稿の頁数（又は何枚目の原稿であるか）などが記録される。
【００７６】
図５は原稿の重送の例を示す説明図である。図中矢印は原稿の搬送方向を示す。図５（ａ）は、原稿が１枚ずつ所定の離隔寸法を有して正常に搬送されている場合を示す。図５（ｂ）は、原稿載置トレイに積層された原稿の最下部から１枚ずつ取り出す、いわゆる下取りの場合に、１枚目の重送原稿の先端部と、２枚目の重送原稿の先端部とがずれた状態で重なった場合を示す。図５（ｃ）は、原稿載置トレイに積層された原稿の最上部から１枚ずつ取り出す、いわゆる上取りの場合に、１枚目の重送原稿の先端部と、２枚目の重送原稿の先端部とがずれた状態で重なった場合を示す。図５（ｄ）は、上取り又は下取りの場合に、１枚目の重送原稿の先端部と、２枚目の重送原稿の先端部とが重なった場合を示す。
【００７７】
図６は重送原稿の先端部同士がずれた場合の重送検出信号のレベルを示すタイムチャートである。超音波センサ２３の受信部２３ｂで受信する信号のエネルギ（例えば、透過エネルギ）は、信号が透過する原稿の枚数に応じて変化する。例えば、原稿がない場合は、受信する信号のエネルギはＥ０、原稿が１枚の場合は、受信する信号のエネルギはＥ１（Ｅ０＞Ｅ１）、原稿が２枚の場合は、受信する信号のエネルギはＥ２（Ｅ１＞Ｅ２）である。時刻ｔ１において、信号のエネルギがＥ０からＥ１に変化したことにより、次の原稿が搬送されたことを検出する。原稿の重送が生じた場合、例えば、時刻ｔ２において、信号のエネルギがＥ１からＥ２に変化する。受信した信号のエネルギのレベル差により、２枚の原稿が、その先端部がずれた状態で重送されたことを検出することができる。時刻ｔ３において、信号のエネルギはＥ２からＥ１に変化する。
【００７８】
原稿の搬送速度、及び時刻ｔ２とｔ１との時間差により、原稿がどの程度の長さずれて重送したかを算出することもできる。
【００７９】
図７は重送原稿の先端部同士が重なった場合の重送検出信号の関係を示すタイムチャートである。時刻ｔ４において、信号のエネルギがＥ０からＥ２に変化する。受信した信号のエネルギのレベル差により、次の原稿がその先端部同士が重なった状態で２枚の原稿が重送されたことを検出することができる。時刻ｔ５において、信号のエネルギはＥ２からＥ０に変化する。
【００８０】
制御部１０は、超音波センサ２３から出力された検出結果（検出信号のレベル）に基づいて、重送であるか、また、両面原稿である場合には、いずれの頁であるかを判定することができる。制御部１０は、重送が検出された場合、判定した重送原稿の枚数と、カウンタ１７で計数した重送が発生する前に搬送した原稿の枚数とに基づいて、重送原稿の搬送順序（何枚目の原稿が重送原稿であるか）を特定することができる。例えば、重送が検出される前に１０枚の原稿が搬送され、重送原稿の枚数が２枚である場合には、重送原稿の搬送順序は１１枚目及び１２枚目と特定することができる。
【００８１】
また、制御部１０は、重送が検出された場合、重送原稿の枚数に応じて、カウンタ１７が計数する重送原稿の後に搬送される原稿の搬送順序を修正する。例えば、重送が検出される前に１０枚の原稿が搬送され、重送原稿の枚数が２枚である場合において、カウンタ１７が２枚の重送原稿を１枚の原稿と計数するときは、カウンタ１７は、重送原稿の後に搬送される最初の原稿を１１枚目として計数してしまうが、制御部１０は、これを１２枚目と修正し、以降計数される原稿枚数を同様に修正することができる。
【００８２】
図８は原稿を上取りする場合の搬送路（反転パス）を示す模式図である。まず、片面原稿を記録紙に片面印刷（出力画像の形成）する場合について説明する。図に示すように、原稿載置トレイ２０に、原稿の表面（片面原稿の場合は画像が記録された面）を上側にして積層して載置する。積層された原稿の最上部の原稿が、ピックアップローラ２１ａ及び捌きローラ２１ｂにより１枚ずつ搬送路２２へ搬送される。ピックアップローラ２１ａ又は捌きローラ２１ｂで原稿を１枚ずつ分離して搬送することができず、２枚の原稿が重送した場合、１枚目の重送原稿の画像は、２枚目の重送原稿により遮られることなく、画像読取部３０で読み取ることができる。
【００８３】
一方、２枚目の重送原稿の画像は、１枚目の重送原稿により遮られるため、画像読取部３０で読み取ることができない。したがって、この場合、重送検出信号を受け取った制御部１０は、重送原稿の１枚目は読み取り可能であると判定し、重送原稿の２枚目は読み取り不可と判定する。この場合、制御部１０は、１枚目の重送原稿を検出した時点を基準にして、１枚目の重送原稿上の画像読み取りタイミングを設定することができる。なお、片面原稿の場合には、画像読取部２４での読み取り処理は行わない。
【００８４】
両面原稿を記録紙に両面印刷（出力画像の形成）する場合について説明する。原稿載置トレイ２０に、原稿の表面（両面原稿の場合は表面及び裏面に画像が記録されている）を上側にして積層して載置する。積層された原稿の最上部の原稿が、ピックアップローラ２１ａ及び捌きローラ２１ｂにより１枚ずつ搬送路２２へ搬送される。ピックアップローラ２１ａ又は捌きローラ２１ｂで原稿を１枚ずつ分離して搬送することができず、２枚の原稿が重送した場合、１枚目の重送原稿の裏面の画像、及び２枚目の重送原稿の表面の画像は、お互いに遮られるため、画像読取部２４、３０で読み取ることができない。したがって、この場合、重送検出信号を受け取った制御部１０は、重送原稿の１枚目及び２枚目はいずれも読み取り不可と判定する。
【００８５】
図９は原稿を下取りする場合の搬送路（反転パス）を示す模式図である。まず、片面原稿を記録紙に片面印刷（出力画像の形成）する場合について説明する。図に示すように、原稿載置トレイ２０に、原稿の表面（片面原稿の場合は画像が記録された面）を上側にして積層して載置する。積層された原稿の最下部の原稿が、ピックアップローラ２１ｈ、２１ｊにより１枚ずつ搬送路２２へ搬送される。ピックアップローラ２１ｈ、２１ｊで原稿を１枚ずつ分離して搬送することができず、２枚の原稿が重送した場合、１枚目の重送原稿の画像は、２枚目の重送原稿により遮られるため、画像読取部３０で読み取ることができない。
【００８６】
一方、２枚目の重送原稿の画像は、１枚目の重送原稿により遮られることなく、画像読取部３０で読み取ることができる。したがって、この場合、重送検出信号を受け取った制御部１０は、重送原稿の１枚目は読み取り不可であると判定し、重送原稿の２枚目は読み取り可能と判定する。この場合、制御部１０は、１枚目及び２枚目の重送原稿の重なりを検出した時点を基準にして、２枚目の重送原稿上の画像読み取りタイミングを設定することができる。なお、片面原稿の場合には、画像読取部２４での読み取り処理は行わない。
【００８７】
両面原稿を記録紙に両面印刷（出力画像の形成）する場合について説明する。原稿載置トレイ２０に、原稿の表面（両面原稿の場合は表面及び裏面に画像が記録されている）を上側にして積層して載置する。積層された原稿の最上部の原稿が、ピックアップローラ２１ｈ、２１ｊにより１枚ずつ搬送路２２へ搬送される。ピックアップローラ２１ｈ、２１ｊで原稿を１枚ずつ分離して搬送することができず、２枚の原稿が重送した場合、１枚目の重送原稿の表面の画像、及び２枚目の重送原稿の裏面の画像は、お互いに遮られるため、画像読取部３０、２４で読み取ることができない。したがって、この場合、重送検出信号を受け取った制御部１０は、重送原稿の１枚目及び２枚目はいずれも読み取り不可と判定する。
【００８８】
次に本発明に係る画像形成装置１００の動作について説明する。図１０及び図１１は原稿の重送を検出した場合に画像形成装置１００が実行する処理の手順を示すフローチャートである。制御部１０は、操作部１６から入力される情報に基づき、原稿の読取指示があるか否かを判定する（Ｓ１１）。読取指示がない場合（Ｓ１１でＮＯ）、制御部１０は、ステップＳ１１の処理を続け、読取指示があるまで待機する。
【００８９】
読取指示があった場合（Ｓ１１でＹＥＳ）、制御部１０は、原稿の重送回数を示す重送記録Ｗを０にリセットし（Ｓ１２）、原稿載置トレイに載置された原稿の搬送を行う（Ｓ１３）。制御部１０は、搬送される原稿の頁数（片面原稿の場合は、原稿の枚数）を計数し（Ｓ１４）、原稿の重送を検出したか否かを判定する（Ｓ１５）。
【００９０】
原稿の重送を検出しなかった場合（Ｓ１５でＮＯ）、制御部１０は、画像読取部２４、３０（両面原稿の場合は両者で、片面原稿の場合はいずれかで）で原稿上の画像を読み取るよう制御することにより原稿の読み取りを行い（Ｓ１６）、読み取った画像に基づいて、記録紙に印刷（出力画像が形成）し（Ｓ１７）、印刷された記録紙を第１のトレイ５１ａに排出する（Ｓ１８）。
【００９１】
制御部１０は、搬送すべき原稿があるか否かを判定し（Ｓ１９）、原稿があると判定した場合（Ｓ１９でＹＥＳ）、ステップＳ１３以降の処理を続ける。原稿がないと判定した場合（Ｓ１９でＮＯ）、制御部１０は、原稿上の画像の読み取りができなかった頁の有無を判定し（Ｓ２０）、読み取りができなかった頁がないと判定した場合（Ｓ２０でＮＯ）、処理を終了する。
【００９２】
読み取りができなかった頁があると判定した場合（Ｓ２０でＹＥＳ）、制御部１０は、重送を検出したことを報知し（Ｓ２１）、記録紙を排出するトレイを第１のトレイにするためにトレイ切換リセットを行い（Ｓ２２）、処理を終了する。
【００９３】
一方、原稿の重送を検出した場合（Ｓ１５でＹＥＳ）、制御部１０は、重送記録Ｗに１を加算し（Ｓ２３）、重送した原稿上の画像を読み取ることができるか否かを判定する（Ｓ２４）。重送した原稿上の画像を読み取ることができる場合（Ｓ２４でＹＥＳ）、制御部１０は、読み取り可能な原稿が重送した原稿の最初の頁（重送原稿の１枚目）であるか否かを判定し（Ｓ２５）、重送原稿の最初の頁である場合（Ｓ２５でＹＥＳ）、読取不可の頁数（例えば、重送原稿の２枚目）を記録する（Ｓ２６）。
【００９４】
制御部１０は、重送原稿の最初の頁の画像を読み取り（Ｓ２７）、読み取った画像に基づいて、記録紙に印刷（出力画像の形成）する（Ｓ２８）。制御部１０は、印刷された記録紙を第１のトレイ５１ａに排出し（Ｓ２９）、記録紙を排出するトレイを第１のトレイから第２のトレイ（又は空きの他のトレイ）に切り換え（Ｓ３０）、ステップＳ１９以降の処理を続ける。
【００９５】
読み取り可能な原稿が重送原稿の最初の頁でない場合（Ｓ２５でＮＯ）、制御部１０は、読み取り可能な原稿が重送した原稿の最後の頁（重送原稿の２枚目）であるか否かを判定する（Ｓ３１）。重送原稿の最後の頁でない場合（Ｓ３１でＮＯ）、制御部１０は、ステップＳ２４以降の処理を続ける。
【００９６】
読み取り可能な原稿が重送原稿の最後の頁である場合（Ｓ３１でＹＥＳ）、制御部１０は、読取不可の頁数（例えば、重送原稿の１枚目）を記録する（３２）。制御部１０は、重送原稿の最後の頁の画像を読み取り（Ｓ３３）、記録紙を排出するトレイを第１のトレイから第２のトレイ（又は空きの他のトレイ）に切り換える（Ｓ３４）。制御部１０は、読み取った画像に基づいて、記録紙に印刷（出力画像の形成）し（Ｓ３５）、印刷された記録紙を第２のトレイ５１ａ（又は切り換えられたトレイ）に排出し（Ｓ３６）、ステップＳ１９以降の処理を続ける。
【００９７】
一方、重送した原稿上の画像を読み取ることができない場合（Ｓ２４でＮＯ）、制御部１０は、読取不可の頁数（例えば、重送原稿の１枚目の表裏両頁及び２枚目の表裏両頁、又は重送原稿の１枚目及び２枚目など）を記録する（Ｓ３７）。制御部１０は、重送原稿上の歯像の読み取り処理を停止し（Ｓ３８）、ステップＳ３０以降の処理を続ける。
【００９８】
以上の処理により、重送が検出される前は、搬送された原稿上の画像を読み取って印刷された記録紙は、例えば、第１のトレイに排出される。重送が検出された場合、重送原稿の後に搬送される原稿上の画像を読み取って印刷された記録紙は、第２のトレイに排出される。この際、１枚目の重送原稿上の画像が読み取り可能である場合、原稿上の画像を読み取って印刷された記録紙は、第１のトレイに排出され、２枚目の重送原稿上の画像が読み取り可能である場合、原稿上の画像を読み取って印刷された記録紙は、第２のトレイに排出される。
【００９９】
また、原稿の搬送中に再度重送を検出した場合は、重送原稿の後に搬送される原稿上の画像を読み取って印刷された記録紙は、第３のトレイに排出される。この際、１枚目の重送原稿上の画像が読み取り可能である場合、原稿上の画像を読み取って印刷された記録紙は、第２のトレイに排出され、２枚目の重送原稿上の画像が読み取り可能である場合、原稿上の画像を読み取って印刷された記録紙は、第３のトレイに排出される。
【０１００】
図１２は重送を報知する表示画面に表示される画面の一例を示す模式図である。図に示すように、原稿の重送が検出された場合、操作部１６の液晶ディスプレイには、原稿の重送を報知する画面が表示される。表示画面には、例えば、「原稿の読取に重送が発生しました」、「重送原稿の再読取を行います」、「原稿を原稿台に戻しＯＫキーを押して下さい」、及び「排出トレイの記録紙は移動しないで下さい」などの文章が表示される。ユーザは、搬送後に排出された原稿すべてを原稿載置トレイに載置し、ＯＫキーを操作することにより、画像形成装置１００は、再度原稿の搬送、読み取り処理を行う。ユーザは、単に排出された原稿をそのまま原稿載置トレイに載置するだけで、画像形成装置１００は、重送原稿に対する回復処理を行う。
【０１０１】
図１３は重送原稿の再読取を行う場合に画像形成装置１００が実行する処理の手順を示すフローチャートである。制御部１０は、重送記録Ｗが０であるか否かに基づき、重送記録の有無を判定する（Ｓ５１）。重送記録がない場合（Ｗ＝０）（Ｓ５１でＮＯ）、制御部１０は、ステップＳ１１の処理を続け、待機する。
【０１０２】
重送記録がある場合（Ｗ≠０）（Ｓ５１でＹＥＳ）、制御部１０は、操作部１６から入力される情報に基づき、原稿の読取指示があるか否かを判定する（Ｓ５２）。読取指示がない場合（Ｓ５２でＮＯ）、制御部１０は、ステップＳ５２の処理を続け、読取指示があるまで待機する。
【０１０３】
読取指示があった場合（Ｓ５２でＹＥＳ）、制御部１０は、原稿載置トレイに載置された原稿の搬送を行い（Ｓ５３）、搬送される原稿の頁数（片面原稿の場合は、原稿の枚数）を計数する（Ｓ５４）。制御部１０は、計数する原稿の頁数と記録された読取不可の頁数とが一致するか否かを判定する（Ｓ５５）。計数する原稿の頁数と記録された読取不可の頁数とが一致しない場合（Ｓ５５でＮＯ）、制御部１０は、ステップＳ５３以降の処理を続ける。
【０１０４】
計数する原稿の頁数と記録された読取不可の頁数とが一致した場合（Ｓ５５でＹＥＳ）、制御部１０は、一致した頁の原稿上の画像を読み取り（Ｓ５６）、読み取った画像に基づいて、記録紙に印刷（出力画像の形成）し（Ｓ５７）、印刷された記録紙を第１のトレイ５１ａに排出する（Ｓ５８）。
【０１０５】
制御部１０は、重送記録Ｗから１を減算し（Ｓ５９）、重送記録Ｗが０に等しいか否かを判定する（Ｓ６０）。重送記録が０である場合（Ｓ６０でＹＥＳ）、制御部１０は、すべての原稿が搬送されたか否かを判定し（Ｓ６１）、すべての原稿が搬送された場合（Ｓ６１でＹＥＳ）、処理を終了する。すべての原稿が搬送されていない場合（Ｓ６１でＮＯ）、残りの原稿を搬送し（Ｓ６２）、処理を終了する。
【０１０６】
重送記録が０でない場合（Ｓ６０でＮＯ）、制御部１０は、記録紙を排出するトレイを第１のトレイから第２のトレイ（又は空きの他のトレイ）に切り換え（Ｓ６３）、ステップＳ５３以降の処理を続ける。
【０１０７】
以上の処理により、重送原稿のうち画像を読み取ることができなかった原稿上の画像を読み取って印刷された記録紙は、第１のトレイに排出される。また、例えば、搬送中に原稿の重送が２回発生した場合は、２回目の重送により画像を読み取ることができなかった原稿上の画像を読み取って印刷された記録紙は、第２のトレイに排出される。
【０１０８】
図１４は原稿の重送が発生した場合の記録紙の排出の一例を示す模式図である。後処理部５には、３つのトレイ（第１のトレイ、第２のトレイ、第３のトレイ）を設けている。各トレイに排出される記録紙の頁数（何枚目であるか）を、１、２、…、Ｎ（Ｎは最終頁）で表し、記録紙の頁数は、原稿の頁数に対応している。図１４においては、原稿の１１枚目及び１２枚目で重送が発生した場合を示している。四角で囲まれた数字は、原稿の重送が発生した際に、読み取り可能な重送原稿の頁数に対応した記録紙の頁数を示している。また、円形で囲まれた数字は、原稿の重送が発生した際に、読み取りができなかった重送原稿の頁数に対応した記録紙の頁数を示している。
【０１０９】
図１４（ａ）に示すように、１１枚目及び１２枚目が重送原稿である場合において、両重送原稿の読み取りができないとき（例えば、両面原稿の両面コピーなどの場合）、重送が発生する前に搬送された原稿（１枚目〜１０枚目）に対応する記録紙（１、２、…１０）は、第１のトレイに排出される。重送原稿の後に搬送された原稿（１３枚目〜Ｎ枚目）に対応する記録紙（１３、１４、…Ｎ）は、第２のトレイに排出される。
【０１１０】
読み取りが終了した原稿と原稿の搬送時に重送した重送原稿のすべてが、原稿載置台２０に載置されたページ順で原稿排出トレイ２５に排出される。重送の報知により、ユーザは原稿排出トレイ２５に排出された原稿のすべてを原稿載置台２０に再度載置して読み取りを開始させると、原稿（１枚目〜Ｎ枚目）は順次搬送され、最初の読み取り時に原稿が重送したことで読み取りができなかった１１枚目及び１２枚目の原稿（重送原稿）だけを画像読取部で読み取ることにより、１１枚目及び１２枚目の重送した原稿（読み取ることができなかった原稿）に対応する記録紙（１１、１２）は、記録紙（１、２、…１０）に続けて第１のトレイに排出される。
【０１１１】
図１４（ｂ）に示すように、１１枚目及び１２枚目が重送原稿である場合において、１枚目の重送原稿（重送原稿の最初の頁）の読み取りが可能なときは（例えば、原稿の表面を上側にして載置した原稿を上取りにより取る場合など）、重送が発生する前に搬送された原稿（１枚目〜１０枚目）に対応する記録紙（１、２、…１０）は、第１のトレイに排出される。１枚目の重送原稿、すなわち、１１枚目の原稿に対する記録紙（１１）は、記録紙（１、２、…１０）に続けて、第１のトレイに排出される。重送原稿の後に搬送された原稿（１３枚目〜Ｎ枚目）に対応する記録紙（１３、１４、…Ｎ）は、第２のトレイに排出される。
【０１１２】
読み取りが終了した原稿と原稿の搬送時に重送した重送原稿のすべてが、原稿載置台２０に載置されたページ順で原稿排出トレイ２５に排出される。重送の報知により、ユーザは原稿排出トレイ２５に排出された原稿のすべてを原稿載置台２０に再度載置して読み取りを開始させると、原稿（１枚目〜Ｎ枚目）は順次搬送され、最初の読み取り時に原稿が重送したことで読み取りができなかった１２枚目の原稿（重送原稿）だけを画像読取部で読み取ることにより、１２枚目の重送した原稿（読み取ることができなかった原稿）に対応する記録紙（１２）は、記録紙（１、２、…１０、１１）に続けて第１のトレイに排出される。
【０１１３】
図１４（ｃ）に示すように、１１枚目及び１２枚目が重送原稿である場合において、２枚目の重送原稿（重送原稿の最後の頁）の読み取りが可能なときは（例えば、原稿の表面を上側にして載置した原稿を下取りにより取る場合など）、重送が発生する前に搬送された原稿（１枚目〜１０枚目）に対応する記録紙（１、２、…１０）は、第１のトレイに排出される。２枚目の重送原稿、すなわち、１２枚目の原稿に対する記録紙（１２）は、第２のトレイに排出される。重送原稿の後に搬送された原稿（１３枚目〜Ｎ枚目）に対応する記録紙（１３、１４、…Ｎ）は、記録紙（１２）に続けて第２のトレイに排出される。
【０１１４】
読み取りが終了した原稿と原稿の搬送時に重送した重送原稿のすべてが、原稿載置台２０に載置されたページ順で原稿排出トレイ２５に排出される。重送の報知により、ユーザは原稿排出トレイ２５に排出された原稿のすべてを原稿載置台２０に再度載置して読み取りを開始させると、原稿（１枚目〜Ｎ枚目）は順次搬送され、最初の読み取り時に原稿が重送したことで読み取りができなかった１１枚目の原稿（重送原稿）だけを画像読取部で読み取ることにより、１１枚目の重送した原稿（読み取ることができなかった原稿）に対応する記録紙（１１）は、記録紙（１、２、…１０）に続けて第１のトレイに排出される。
【０１１５】
これにより、ユーザは、重送が検出された場合に、再度原稿を原稿載置トレイ２０に載置することで、原稿が重送することで読み取れなかった原稿の読み取りを行い、重送により読み取れなかった原稿に対応する記録紙は、原稿のページ順序と一致するようにトレイに排出されるので、各トレイに排出された記録紙を順番に重ねるだけで、例えば、第２のトレイに排出されたすべての記録紙を第１のトレイの上に重ねることで、原稿の順番に記録紙を並べることができ、重送頁の確認、記録紙の区分け又は並べ替えなどの作業が全く不要であり、重送が発生した場合のユーザの負担を軽減することができる。
【０１１６】
図１５は原稿の重送が２回発生した場合の記録紙の排出の一例を示す模式図である。後処理部５には、３つのトレイ（第１のトレイ、第２のトレイ、第３のトレイ）を設けている。各トレイに排出される記録紙の頁数（何枚目であるか）を、１、２、…、Ｎ（Ｎは最終頁）で表し、記録紙の頁数は、原稿の頁数に対応している。図１５においては、原稿の１１枚目及び１２枚目で１回目の重送が発生し、２０枚目及び２１枚目で２回目の重送が発生した場合を示している。四角で囲まれた数字は、原稿の重送が発生した際に、読み取り可能な重送原稿の頁数に対応した記録紙の頁数を示している。また、円形で囲まれた数字は、原稿の重送が発生した際に、読み取りができなかった重送原稿の頁数に対応した記録紙の頁数を示している。
【０１１７】
図１５（ａ）に示すように、１回目の重送で１１枚目及び１２枚目が重送原稿である場合において、両重送原稿の読み取りができないとき（例えば、両面原稿の両面コピーなどの場合）、重送が発生する前に搬送された原稿（１枚目〜１０枚目）に対応する記録紙（１、２、…１０）は、第１のトレイに排出される。
【０１１８】
２回目の重送で２０枚目及び２１枚目が重送原稿である場合において、両重送原稿の読み取りができないとき、２回目の重送が発生する前に搬送された原稿（１３枚目〜１９枚目）に対応する記録紙（１３、１４、…１９）は、第２のトレイに排出される。２回目の重送の重送原稿の後に搬送された原稿（２２枚目〜Ｎ枚目）に対応する記録紙（２２、２３、…Ｎ）は、第３のトレイに排出される。
【０１１９】
原稿（１枚目〜Ｎ枚目）を再度読み取ることにより、１１枚目及び１２枚目の重送原稿に対応する記録紙（１１、１２）は、記録紙（１、２、…１０）に続けて第１のトレイに排出される。また、２０枚目及び２１枚目の重送原稿に対応する記録紙（２０、２１）は、記録紙（１３、１４、…１９）に続けて第２のトレイに排出される。
【０１２０】
図１５（ｂ）に示すように、１回目の重送で１１枚目及び１２枚目が重送原稿である場合において、１枚目の重送原稿（重送原稿の最初の頁）の読み取りが可能なときは（例えば、原稿の表面を上側にして載置した原稿を上取りにより取る場合など）、重送が発生する前に搬送された原稿（１枚目〜１０枚目）に対応する記録紙（１、２、…１０）は、第１のトレイに排出される。１枚目の重送原稿、すなわち、１１枚目の原稿に対する記録紙（１１）は、記録紙（１、２、…１０）に続けて、第１のトレイに排出される。
【０１２１】
２回目の重送で２０枚目及び２１枚目が重送原稿である場合において、１枚目の重送原稿（重送原稿の最初の頁）の読み取りが可能なときは、重送が発生する前に搬送された原稿（１３枚目〜１９枚目）に対応する記録紙（１３、１４、…１９）は、第２のトレイに排出される。１枚目の重送原稿、すなわち、２０枚目の原稿に対する記録紙（２０）は、記録紙（１３、１４、…１９）に続けて、第２のトレイに排出される。２回目の重送の重送原稿の後に搬送された原稿（２２枚目〜Ｎ枚目）に対応する記録紙（２２、２３、…Ｎ）は、第３のトレイに排出される。
【０１２２】
原稿（１枚目〜Ｎ枚目）を再度読み取ることにより、読み取りができなかった１２枚目の重送原稿に対応する記録紙（１２）は、記録紙（１、２、…１０、１１）に続けて第１のトレイに排出される。また、読み取りができなかった２１枚目の重送原稿に対応する記録紙（２１）は、記録紙（１３、１４、…１９、２０）に続けて第２のトレイに排出される。
【０１２３】
図１５（ｃ）に示すように、１回目の重送で１１枚目及び１２枚目が重送原稿である場合において、２枚目の重送原稿（重送原稿の最後の頁）の読み取りが可能なときは（例えば、原稿の表面を上側にして載置した原稿を下取りにより取る場合など）、重送が発生する前に搬送された原稿（１枚目〜１０枚目）に対応する記録紙（１、２、…１０）は、第１のトレイに排出される。２枚目の重送原稿、すなわち、１２枚目の原稿に対する記録紙（１２）は、第２のトレイに排出される。
【０１２４】
２回目の重送で２０枚目及び２１枚目が重送原稿である場合において、２枚目の重送原稿（重送原稿の最初の頁）の読み取りが可能なときは、重送が発生する前に搬送された原稿（１３枚目〜１９枚目）に対応する記録紙（１３、１４、…１９）は、記録紙（１２）に続けて、第２のトレイに排出される。２枚目の重送原稿、すなわち、２１枚目の原稿に対する記録紙（２１）は、第３のトレイに排出される。２回目の重送の重送原稿の後に搬送された原稿（２２枚目〜Ｎ枚目）に対応する記録紙（２２、２３、…Ｎ）は、記録紙（２１）に続けて、第３のトレイに排出される。
【０１２５】
原稿（１枚目〜Ｎ枚目）を再度読み取ることにより、読み取りができなかった１１枚目の重送原稿に対応する記録紙（１１）は、記録紙（１、２、…１０）に続けて第１のトレイに排出される。また、読み取りができなかった２０枚目の重送原稿に対応する記録紙（２０）は、記録紙（１２、１３、…１９）に続けて、第２のトレイに排出される。
【０１２６】
以上説明したように、本発明にあっては、原稿の重送が検出された場合であっても、読み取り原稿の搬送を停止させず、読み取った画像に基づいて出力画像を形成する処理を継続することができ、重送により装置全体のジョブ効率が低下することを防止することができる。また、出力画像が形成された記録紙を原稿の搬送順（読み取り順）に容易に並べることができ、ユーザの負担を軽減することができる。
【０１２７】
また、重送が検出された場合であっても、読み取り可能な重送原稿については、読み取り処理を継続して行うため、重送原稿に対する画像形成処理を継続し、原稿搬送に要する時間を無駄にすることなく、装置全体のジョブ効率の低下を防止することができる。また、重送していない原稿から重送原稿を仕分ける作業が全く不要になり、ユーザの負担を軽減することができる。特に大量の原稿を高速に処理する必要がある場合には、ユーザの負担を顕著に低減することが可能になる。
【０１２８】
上述の実施の形態においては、記録紙の排出用のトレイは、３つ備えるものであったが、排出用のトレイ数は、これに限定されるものではなく、４つ以上備えることもできる。
【０１２９】
上述の実施の形態においては、重送原稿が２枚の場合について説明したが、搬送路において原稿詰まり（ジャム）にならない限り、重送原稿が３枚、４枚などの場合にも、本発明を適用することができる。
【０１３０】
上述の実施の形態においては、原稿を１部印刷するものであったが、原稿を複数部印刷し、１部毎にソート（仕分け）して排出し、重送原稿に対応する記録紙を別のトレイに排出する場合にも、本発明を適用することができる。
【０１３１】
図１６は複数部コピーを行う際に重送原稿の再読取を行う場合に画像形成装置１００が実行する処理の手順を示すフローチャートである。なお、原稿の重送を検出した場合に画像形成装置１００が実行する処理の手順を示すフローチャートは、図１０及び図１１と同様であるので説明は省略する。なお、記録紙は必要部数印刷され、１部毎にソート（又は記録紙をシフトさせて）排出されるものとする。
【０１３２】
制御部１０は、重送記録Ｗが０であるか否かに基づき、重送記録の有無を判定する（Ｓ７１）。重送記録がない場合（Ｗ＝０）（Ｓ７１でＮＯ）、制御部１０は、ステップＳ７１の処理を続け、待機する。
【０１３３】
重送記録がある場合（Ｗ≠０）（Ｓ７１でＹＥＳ）、制御部１０は、操作部１６から入力される情報に基づき、原稿の読取指示があるか否かを判定する（Ｓ７２）。読取指示がない場合（Ｓ７２でＮＯ）、制御部１０は、ステップＳ７２の処理を続け、読取指示があるまで待機する。
【０１３４】
読取指示があった場合（Ｓ７２でＹＥＳ）、制御部１０は、原稿載置トレイに載置された原稿の搬送を行い（Ｓ７３）、搬送される原稿の頁数（片面原稿の場合は、原稿の枚数）を計数する（Ｓ７４）。制御部１０は、計数する原稿の頁数と記録された読取不可の頁数とが一致するか否かを判定する（Ｓ７５）。計数する原稿の頁数と記録された読取不可の頁数とが一致しない場合（Ｓ７５でＮＯ）、制御部１０は、ステップＳ７３以降の処理を続ける。
【０１３５】
計数する原稿の頁数と記録された読取不可の頁数とが一致した場合（Ｓ７５でＹＥＳ）、制御部１０は、一致した頁の原稿上の画像を読み取り（Ｓ７６）、記録紙を排出するトレイを空きの他のトレイ（例えば、第３のトレイ）に切り換える（Ｓ７７）。制御部１０は、読み取った画像に基づいて、記録紙に必要部数印刷（出力画像の形成）し（Ｓ７８）、印刷された記録紙を切り換えたトレイに１部毎にソート（又は記録紙をシフトさせて）排出する（Ｓ７９）。
【０１３６】
制御部１０は、重送記録Ｗから１を減算し（Ｓ８０）、重送記録Ｗが０に等しいか否かを判定する（Ｓ８１）。重送記録が０である場合（Ｓ８１でＹＥＳ）、制御部１０は、すべての原稿が搬送されたか否かを判定し（Ｓ８２）、すべての原稿が搬送された場合（Ｓ８２でＹＥＳ）、処理を終了する。すべての原稿が搬送されていない場合（Ｓ８２でＮＯ）、残りの原稿を搬送し（Ｓ８３）、処理を終了する。
【０１３７】
重送記録が０でない場合（Ｓ８１でＮＯ）、制御部１０は、ステップＳ７３以降の処理を続ける。
【０１３８】
図１７は原稿を複数部数コピーする際に原稿の重送が発生した場合の記録紙の排出の一例を示す模式図である。後処理部５には、３つのトレイ（第１のトレイ、第２のトレイ、第３のトレイ）を設けている。各トレイに排出される記録紙の頁数（何枚目であるか）を、１、２、…、Ｎ（Ｎは最終頁）で表し、記録紙の頁数は、原稿の頁数に対応している。図１７においては、原稿の１１枚目及び１２枚目で重送が発生した場合を示している。四角で囲まれた数字は、原稿の重送が発生した際に、読み取り可能な重送原稿の頁数に対応した記録紙の頁数を示している。また、円形で囲まれた数字は、原稿の重送が発生した際に、読み取りができなかった重送原稿の頁数に対応した記録紙の頁数を示している。なお、図においては、原稿を３部コピーする場合を示しているが、コピー部数はこれに限定されない。
【０１３９】
図１７（ａ）に示すように、１１枚目及び１２枚目が重送原稿である場合において、両重送原稿の読み取りができないとき（例えば、両面原稿の両面コピーなどの場合）、重送が発生する前に搬送された原稿（１枚目〜１０枚目）に対応する記録紙（１、２、…１０）は、第１のトレイに１部毎にソートして排出される。重送原稿の後に搬送された原稿（１３枚目〜Ｎ枚目）に対応する記録紙（１３、１４、…Ｎ）は、第２のトレイに１部毎にソートして排出される。
【０１４０】
読み取りが終了した原稿と原稿の搬送時に重送した重送原稿のすべてが、原稿載置台２０に載置されたページ順で原稿排出トレイ２５に排出される。重送の報知により、ユーザは原稿排出トレイ２５に排出された原稿のすべてを原稿載置台２０に再度載置して読み取りを開始させると、原稿（１枚目〜Ｎ枚目）は順次搬送され、最初の読み取り時に原稿が重送したことで読み取りができなかった１１枚目及び１２枚目の原稿（重送原稿）だけを画像読取部で読み取ることにより、１１枚目及び１２枚目の重送した原稿（読み取ることができなかった原稿）に対応する記録紙（１１、１２）は、第３のトレイに１部毎にソートして排出される。
【０１４１】
図１７（ｂ）に示すように、１１枚目及び１２枚目が重送原稿である場合において、１枚目の重送原稿（重送原稿の最初の頁）の読み取りが可能なときは（例えば、原稿の表面を上側にして載置した原稿を上取りにより取る場合など）、原稿の重送が発生する前に読み取ることができた１枚目〜１０枚目の原稿、及び重送時に読み取ることができた１１枚目の原稿については、すでに読み取りを完了しているため、１枚目〜１１枚目の原稿に対応する記録紙（１、２、…１０、１１）は、１部毎にソートして第１のトレイに排出される。重送原稿の後に搬送された原稿（１３枚目〜Ｎ枚目）に対応する記録紙（１３、１４、…Ｎ）は、１部毎にソートして第２のトレイに排出される。
【０１４２】
読み取りが終了した原稿と原稿の搬送時に重送した重送原稿のすべてが、原稿載置台２０に載置されたページ順で原稿排出トレイ２５に排出される。重送の報知により、ユーザは原稿排出トレイ２５に排出された原稿のすべてを原稿載置台２０に再度載置して読み取りを開始させると、原稿（１枚目〜Ｎ枚目）は順次搬送され、最初の読み取り時に原稿が重送したことで読み取りができなかった１２枚目の原稿（重送原稿）だけを画像読取部で読み取ることにより、１２枚目の重送した原稿（読み取ることができなかった原稿）に対応する記録紙（１２）は、第３のトレイに排出される。
【０１４３】
以上の処理により、例えば、重送が１回発生した場合、重送が検出される前は、搬送された原稿上の画像を読み取って印刷された記録紙は、例えば、第１のトレイに１部毎にシフトして排出される。重送が検出された場合、重送原稿の後に搬送される原稿上の画像を読み取って印刷された記録紙は、第２のトレイに１部毎にシフトして排出される。原稿を再度搬送して重送原稿から読み取って印刷された記録紙は、第３のトレイに１部毎にシフトして排出される。ユーザは、原稿を複数部数コピーする場合でも、各トレイに排出された記録紙を順番に重ねることにより、容易に原稿の搬送順（又は読み取り順）に記録紙を並べることができる。
【０１４４】
上述の実施の形態においては、原稿搬送部２の搬送路は反転パスの例であったが、これに限定されるものではなく、ストレートパスの搬送路であってもよい。
【０１４５】
図１８は原稿を上取りする場合の搬送路（ストレートパス）を示す模式図である。図に示すように、原稿載置トレイ２０に、原稿の表面（画像が記録された面）を下側にして積層して載置する。積層された原稿の最上部の原稿が、ピックアップローラ２１ｋにより１枚ずつ搬送路２２へ搬送される。ピックアップローラ２１ｋで原稿を１枚ずつ分離して搬送することができず、２枚の原稿が重送した場合、１枚目の重送原稿の画像は、２枚目の重送原稿により遮られ、画像読取部３０で読み取ることができない。一方、２枚目の重送原稿の画像は、１枚目の重送原稿により遮られないため、画像読取部３０で読み取ることができる。したがって、この場合、重送検出信号を受け取った制御部１０は、重送原稿の１枚目は読み取り不可であると判定し、重送原稿の２枚目は読み取り可能と判定する。なお、原稿載置トレイ２０に、原稿の表面（画像が記録された面）を上側にして積層して載置する場合、搬送される原稿は、画像読取部３０に代えて、画像読取部２４で同様に読み取ることができる。
【０１４６】
図１９は原稿を下取りする場合の搬送路（ストレートパス）を示す模式図である。図に示すように、原稿載置トレイ２０に、原稿の表面（画像が記録された面）を下側にして積層して載置する。積層された原稿の最下部の原稿が、ピックアップローラ２１ｎ、２１ｐにより１枚ずつ搬送路２２へ搬送される。ピックアップローラ２１ｎ、２１ｐで原稿を１枚ずつ分離して搬送することができず、２枚の原稿が重送した場合、１枚目の重送原稿の画像は、２枚目の重送原稿により遮られないため、画像読取部３０で読み取ることができる。一方、２枚目の重送原稿の画像は、１枚目の重送原稿により遮られるため、画像読取部３０で読み取ることができない。したがって、この場合、重送検出信号を受け取った制御部１０は、重送原稿の１枚目は読み取り可能であると判定し、重送原稿の２枚目は読み取り不可と判定する。なお、原稿載置トレイ２０に、原稿の表面（画像が記録された面）を上側にして積層して載置する場合、搬送される原稿は、画像読取部３０に代えて、画像読取部２４で同様に読み取ることができる。
【０１４７】
上述の実施の形態においては、原稿の重送を検出する手段として、超音波センサを用いる構成であったが、これに限定されるものではなく、例えば、光学センサなどを用いる構成であってもよい。しかし、光学センサを使用する場合、原稿の搬送方向の長さを検出し、原稿の先端と後端との間の距離は原稿の寸法よりも大きい場合に、重送であると検出するため、２枚の原稿が全く重なった場合には、検出できない虞があり、検出精度の点では、超音波センサが優れている。
【０１４８】
上述の実施の形態においては、両面原稿（すなわち、原稿の表面及び裏面に画像が記録されている）を記録紙に両面印刷（いわゆる両面コピー）する場合について説明したが、両面原稿を記録紙に片面印刷することもできる。この場合には、例えば、２枚の原稿が重送した場合、１枚目の重送原稿の表面、及び２枚目の重送原稿の裏面については、画像の読み取りが可能であり、読取処理を継続して行うことにより、原稿の搬送時間を無駄にすることを防止できる。
【０１４９】
上述の実施の形態においては、記録紙を排出するトレイをガイドにより切り換える構成であったが、トレイの切り換えは、これに限定されるものではなく、搬送路自体を移動させて所定のトレイに記録紙を排出する構成でもよく、また、排出トレイを移動させて記録紙の排出先を切り換えるような構成でもよい。
【図面の簡単な説明】
【０１５０】
【図１】本発明に係る画像形成装置の正面側模式図である。
【図２】自動原稿搬送部及びスキャナ部の構成を示す模式図である。
【図３】本発明に係る画像形成装置の内部構成を示すブロック図である。
【図４】超音波センサの構成を示すブロック図である。
【図５】原稿の重送の例を示す説明図である。
【図６】重送原稿の先端部同士がずれた場合の重送検出信号のレベルを示すタイムチャートである。
【図７】重送原稿の先端部同士が重なった場合の重送検出信号の関係を示すタイムチャートである。
【図８】原稿を上取りする場合の搬送路（反転パス）を示す模式図である。
【図９】原稿を下取りする場合の搬送路（反転パス）を示す模式図である。
【図１０】原稿の重送を検出した場合に画像形成装置が実行する処理の手順を示すフローチャートである。
【図１１】原稿の重送を検出した場合に画像形成装置が実行する処理の手順を示すフローチャートである。
【図１２】重送を報知する表示画面に表示される画面の一例を示す模式図である。
【図１３】重送原稿の再読取を行う場合に画像形成装置が実行する処理の手順を示すフローチャートである。
【図１４】原稿の重送が発生した場合の記録紙の排出の一例を示す模式図である。
【図１５】原稿の重送が２回発生した場合の記録紙の排出の一例を示す模式図である。
【図１６】複数部コピーを行う際に重送原稿の再読取を行う場合に画像形成装置が実行する処理の手順を示すフローチャートである。
【図１７】原稿を複数部数コピーする際に原稿の重送が発生した場合の記録紙の排出の一例を示す模式図である。
【図１８】原稿を上取りする場合の搬送路（ストレートパス）を示す模式図である。
【図１９】原稿を下取りする場合の搬送路（ストレートパス）を示す模式図である。
【符号の説明】
【０１５１】
２  原稿搬送部
３  スキャナ部
４  画像形成部
５  後処理部
６  多段給紙ユニット
１０  制御部
１１  画像メモリ
１２  記憶部
１５  ガイド駆動部
１６  操作部
２０  原稿載置トレイ
２２  搬送路
２３  超音波センサ
２４  画像読取部
３０  画像読取部
５２、５３  ガイド
５１ａ、５１ｂ、５１ｃ  トレイ
【図１】
2007114589.tif 000003
【図２】
2007114589.tif 000004
【図３】
2007114589.tif 000005
【図４】
2007114589.tif 000006
【図５】
2007114589.tif 000007
【図６】
2007114589.tif 000008
【図７】
2007114589.tif 000009
【図８】
2007114589.tif 000010
【図９】
2007114589.tif 000011
【図１０】
2007114589.tif 000012
【図１１】
2007114589.tif 000013
【図１２】
2007114589.tif 000014
【図１３】
2007114589.tif 000015
【図１４】
2007114589.tif 000016
【図１５】
2007114589.tif 000017
【図１６】
2007114589.tif 000018
【図１７】
2007114589.tif 000019
【図１８】
2007114589.tif 000020
【図１９】
2007114589.tif 000021